(57)【特許請求の範囲】
【請求項１】
第１の無線機から第２の無線機に、前記第１の無線機のユーザから遠隔データ端末のユーザに向けられたショートメッセージを含むデータフィールドを有する第１の位置更新制御メッセージを送信する段階
を備える方法。
【請求項２】
前記ショートメッセージは、テキストメッセージ、ショートメッセージサービスメッセージ、又はマルチメディアメッセージである請求項１に記載の方法。
【請求項３】
前記データフィールドは、前記第１の位置更新制御メッセージに対する使用のために割り当てられる請求項１又は２に記載の方法。
【請求項４】
前記第１の位置更新制御メッセージは、メディアアクセス制御メッセージである請求項１から３のいずれか一項に記載の方法。
【請求項５】
前記メディアアクセス制御メッセージは、接続モード及び待機モードメディアアクセス制御動作のため用いられる請求項４に記載の方法。
【請求項６】
前記第２の無線機からページを受信する段階をさらに備え、
前記第１の位置更新制御メッセージを送信する段階は、前記ページの受信に応えたものである請求項１から５のいずれか一項に記載の方法。
【請求項７】
送信する前に、アプリケーション層において前記ショートメッセージを暗号化する段階をさらに備える請求項１から６のいずれか一項に記載の方法。
【請求項８】
前記第１の位置更新制御メッセージは、前記第１の無線機の位置を決定するためのレンジングメッセージである請求項１から７のいずれか一項に記載の方法。
【請求項９】
前記第１の無線機は、移動局であり、
前記第２の無線機は、基地局であり、
前記第１の位置更新制御メッセージを送信する段階は、前記第１の位置更新制御メッセージとして、ＲＮＧ−ＲＥＱメッセージを送信する段階を有する請求項８に記載の方法。
【請求項１０】
前記データフィールドは、ユーザメッセージを含むことを識別するためのＴＬＶのタイプ及びサブタイプを含む請求項１から９のいずれか一項に記載の方法。
【請求項１１】
前記第１の位置更新制御メッセージに答えて、前記ショートメッセージに対する応答を含むデータフィールドを有する第２の位置更新制御メッセージを前記第２の無線機から受信する段階
をさらに備える請求項１から１０のいずれか一項に記載の方法。
【請求項１２】
前記第１の無線機は、移動局であり、
前記第２の無線機は、基地局であり、
前記第１の位置更新制御メッセージを送信する段階は、前記第１の位置更新制御メッセージとして、ＲＮＧ−ＲＥＱメッセージを送信する段階を有し、
前記第２の位置更新制御メッセージを受信する段階は、前記第２の位置更新制御メッセージとして、ＲＮＧ−ＲＳＰを受信する段階を有する請求項１１に記載の方法。
【請求項１３】
前記第２の位置更新制御メッセージは、前記第１の位置更新制御メッセージのアクノレッジメントである請求項１１又は１２に記載の方法。
【請求項１４】
前記応答は、前記遠隔データ端末からの第２のショートメッセージである請求項１１から１３のいずれか一項に記載の方法。
【請求項１５】
請求項１から１４のいずれか一項に記載の方法をコンピュータに実行させるためのプログラム。
【請求項１６】
第１の無線機のユーザから遠隔データ端末のユーザに向けられたショートメッセージを含むデータフィールドを有する第１の位置更新制御メッセージを生成するプロセッサと、
前記第１の無線機から第２の無線機に前記第１の位置更新制御メッセージを送信する送受信機と
を備える装置。
【請求項１７】
前記プロセッサはさらに、送信する前に、アプリケーション層において前記ショートメッセージを暗号化する請求項１６に記載の装置。
【請求項１８】
前記データフィールドは、前記第１の位置更新制御メッセージに対する使用のために割り当てられる請求項１６又は１７に記載の装置。
【請求項１９】
前記第１の位置更新制御メッセージは、前記第１の無線機の位置を決定するためのレンジングメッセージである請求項１６から１８のいずれか一項に記載の装置。
【請求項２０】
前記データフィールドは、ユーザメッセージを含むことを識別するためのＴＬＶのタイプ及びサブタイプを含む請求項１６から１９のいずれか一項に記載の装置。
【発明の詳細な説明】
【技術分野】
【０００１】
本開示は、無線通信のためのショートメッセージの分野、特に、制御メッセージの一部を用いた、ショートメッセージの通信に関する。
【背景技術】
【０００２】
テキストメッセージングにより、携帯電話又はその他の無線ユーザデバイスは、別の携帯電話又は無線デバイスに対して、テキストメッセージを送信することができる。携帯電話ユーザにとって、運転中にテキストメッセージの送信を禁止する法律が通過したことは、よく知られていることであろう。文法及びコミニュケーションスキルに関するテキストメッセージの精神的影響、及び、親指に関するテキストメッセージの身体的影響を研究するために、科学的リサーチが行われている。無線通信システムの多くにおいて、テキストメッセージングは、ショートメッセージサービス（ＳＭＳ）を介してサポートされている。
【０００３】
ＳＭＳは、テキスト、及び、時にはその他の小容量データファイルをサポートする。ＭＭＳ（マルチメディアメッセージサービス）は、大容量画像及びビデオ映像等の大容量データファイルを、１つの携帯電話又はその他の携帯機器から別のものに送信することを可能にするように導入される。この２つのシステムは、無線インターフェースの異なる部分である異なるメッセージを用いて動作する。
【０００４】
より多くのデータ及びメディアリッチファイルをより速く伝送する要求により、現行の無線通信システムは、第４世代（４Ｇ）に移行しつつある。ＬＴＥ（ロング・ターム・エボリューション）及びＩＥＥＥ（電気電子技術者協会標準）８０２．１６ｍは、世界中で最も多く使用されているものの１つであろう。
【図面の簡単な説明】
【０００５】
本発明の複数の形態を、同じ参照番号は同じ特徴を表すために用いられる添付図面よって説明するが、限定することは意図していない。
【図１】本発明の１つの形態の実施に適した無線システムの略図である。
【図２】本発明の１つの形態に準じた接続モードにおける、基地局と移動局との間でＳＭＳを送受信する信号図である。
【図３】本発明の１つの形態に準じた待機モードにおける、移動局において、基地局からＳＭＳを受信する信号図である。
【図４】本発明の１つの形態に準じた待機モードにおける、移動局から基地局へＳＭＳを送信する信号図である。
【図５】本発明の複数の形態の実施のための、移動局又は基地局のブロック図である。
【発明を実施するための形態】
【０００６】
接続モードにおいて、ＭＳは、ショートメッセージを伝送するために、ＴＬＶメッセージの全て又は一部を用いて、ＢＳ（基地局）に対してＲＮＧ−ＲＥＱを送信し得る。受信に関しては、ＭＳは、ショートメッセージを伝送するために、ＴＬＶを用いてＢＳからＲＮＧ−ＲＳＰを受信する。アプリケーションに応じて、その他のメッセージ及び制御メッセージが用いられてもよい。
【０００７】
図１に、セル方式無線システム１０の一例を示す。複数のＭＳ１２、１４は、移動式でも固定式でもよく、携帯電話、ノートブック、パーソナルコンピュータ、メディアプレイヤー、電化製品、又はその他の多様な無線接続デバイスの形態をとり得る。ＭＳはまた、加入者局、遠隔ステーション、端末又はその他の名前で称され得る。
【０００８】
多数の基地局（ＢＳ）１６〜２４が、複数のＭＳに対する接続を提供するために、システム内に設けられる。ＢＳは、アプリケーションに応じて、多様な異なる形態を取り得、広い領域又は狭い領域をカバーし得、及び電力を伝送し得る。複数のＢＳは、図１では同様のもととして説明するが、複数のＢＳはまた、互いが異なるやり方で接続及び構成されてもよい。幾つかのアプリケーションにおいては、ネットワークアクセスポイント又はＭＳピアが、ＢＳとして作用又は機能してもよい。図示した例では、第１のＭＳは、ＢＳ１９に登録されており、第２のＭＳは、別のＢＳ２３に登録されている。この登録により、それぞれのＭＳは、ＭＳ及びシステムがサポートするサービスの全てをサポートするために、ＢＳと通信することができる。
【０００９】
ＢＳ１６〜２４のそれぞれは、ゲートウェイ（ＧＷ）に接続されている。ここでは、３つのゲートウェイ２５、２６、２７が存在する。ゲートウェイのそれぞれは、複数のＢＳをサポートする。複数のゲートウェイは、互いに接続されていてもよく、互いに接続されていなくてもよいが、ゲートウェイの全てが、直接的又は間接的に、接続サービスネットワーク（ＣＳＮ）３０に接続されている。ある１つのシステムにおいては、１つ以上のＣＳＮがあってもよい。ＣＳＮは、他の電話通信システム、データサーバ、及びサービス等に対してアクセスを提供する電話通信又はデータネットワーク基幹３１に結合されている。幾つかの例では、ＢＳは、ゲートウェイを介さずに、基幹３１を介してＣＳＮに直接接続されてもよい。
【００１０】
例示説明において、システムアドミニストレーション及びマネージメントは、多様な異なる方法で、ＢＳ、ＧＷ及びＣＳＮの間で分配され得る。通信に関しては、第１のＭＳ１２は、それぞれの接続されたＢＳ及びＧＷを介して、第２のＭＳと通信し得る。ＭＳの両方が同一のＢＳに登録されている場合、ＧＷを介したルーティングなしに、通信をサポートすることができるであろう。同様に、第２のＭＳが別のシステム、ＣＳＮ又はＩＳＰ（インターネットサービスプロバイダ）に接続されている場合、２つのＭＳは、基幹３１を介して通信することができる。
【００１１】
図１ではネットワークの１つの例を示しているが、本発明は、幅広い様々なネットワーク構成に適用することができ、様々な状況及びアプリケーションに適するように、通信は異なるやり方でルーティングされ得る。
【００１２】
図２に、Ｌ２伝送機構を用いた、テキストメッセージ又はその他の種類のショートメッセージの送信例を示す。Ｌ２伝送は、ＭＡＣ制御プレーンがより高位層のメッセージを伝送するために用いられる構想である。ＷｉＭＡＸシステムにおいては、これは、Ｌ２−ＸＦＥＲ等のＬ２（レイヤ２）伝送メッセージであり得る。Ｌ２伝送は、メッセージペイロードを伝送するために、特定のタイプ及びサブタイプ（例えば、タイプ６、サブタイプａ）を用いる。Ｌ２伝送機構を使用して、アップリンク上でメッセージペイロードを送信するために、ＢＳを相手に、ＭＳによって、帯域幅について予め折り合いがつけられてもよい。
【００１３】
ＢＳは、次に、ＳＭＳ確認３３を提供する。初期のメッセージ伝送と同様に、Ｌ２伝送メッセージが用いられてもよい。Ｌ２伝送は、確認のために特定のタイプ及びサブタイプ（例えば、タイプ６、サブタイプｂ）を用いる。
【００１４】
図２の伝送メッセージの両方は変更されてもよい。基地局を対象とした制御メッセージを伝送する代わりに、第１の伝送メッセージ３２は、別のユーザを対象としたテキストメッセージ又はその他のショートメッセージを含む。従来のＬ２−ＸＦＥＲは、タイプ及びサブタイプ属性を有する。タイプ６等の特定の「タイプ」及びａサブタイプ等の特定の「サブタイプ」は、ショートメッセージを伝送するために定義されるものである。伝送されるべきショートメッセージがあるときに、ＴＬＶ（タイプ−長さ−値／Ｔｙｐｅ ｌｅｎｇｔｈ Ｖａｌｕｅ）、又はショートメッセージに関連付けられたその他のフィールドは、Ｌ２−ＸＦＥＲ制御メッセージに挿入され得る。ショートメッセージがユーザメッセージであり、制御メッセージではないことを示すために、このフィールド内のデータは、ユーザに対するショートメッセージならびにタイプ及びサブタイプフィールド等のマーカによって置き換えられてもよい。
【００１５】
図２において、ＢＳはまた、Ｌ２−ＸＦＥＲメッセージを用いて、ＭＳに対してＳＭＳを送信してもよい。最初に、Ｌ２−ＸＦＥＲメッセージ３４がＭＳに送信される。ＭＳからのＬ２−ＸＦＥＲと同様に、このメッセージは、その他の制御関連ＴＬＶパラメータとともに、又は、その他の制御関連ＴＬＶパラメータはともなわずに、ＭＳユーザに対するショートメッセージに関連付けられたＴＬＶフィールドを含んでもよい。ＳＭＳに対するＴＬＶは、任意の特定の予め定められたタイプ及びサブタイプを用いて識別され得る。例えば、タイプ６、サブタイプａが、ＭＳからの伝送と同様に、用いられ得る。あるいは、接続モードにおいて、ＢＳは、テキストの付いた確認を含むＬ２−ＸＦＥＲをＭＳユーザに対して送信してもよい。
【００１６】
確認メッセージ３５を用いて、ＭＳは、ＢＳからのＳＭＳに答える。これはまた、特定のタイプ及びサブタイプ（例えば、タイプ６、サブタイプｂ）のＡＡＩ＿Ｌ２−ＸＦＥＲの形式であってもよい。確認はまた、別のＳＭＳを含んでもよい。接続モードにおけるＭＳにおいて、ショートメッセージを伝送するために、システムは、レンジング又は登録メッセージ等のその他のＭＡＣ制御メッセージを用いる選択をしてもよい。これらのメッセージは、特にＳＭＳ又は別のユーザメッセージプルトコルに対して規定された「タイプ」を有してもよい。
【００１７】
待機モードにおいては、Ｌ２伝送メッセージの交換を可能にするために、ＢＳ及びＭＳは接続されてはいない。図３において、ＢＳは、ＭＳに送るべきショートメッセージを有しているが、ＭＳは、待機モードである。従って、ＭＳは、図２のようにＲＮＧ−ＲＳＰを受信することはないであろう。ＢＳは、ＭＳに対してページ３６を送信する。例示説明において、形態は、０ｂ０１のアクションコードを有するＡＡＩ＿ＰＡＧ−ＡＤＶである。このページは、位置更新をすべく、ＭＳに命令を出すために用いられる。複数の局は最初に、ＢＳから帯域幅を要求するために、レンジング３７を実行する。次に、ＭＳは応答し、従来のＲＮＧ−ＲＥＱ３８を送信することによって位置更新を開始する。１つの例では、これは、ＣＤＭＡ割り当てＡ−ＭＡＰ ＩＥ上のＡＡＩ＿ＲＮＧ−ＲＥＱ（ＲＡＩＤ１及びレンジングのためのマスキング指標）であり得る。
【００１８】
しかしながら、ＢＳは、従来のＲＮＧ−ＲＳＰを用いて応答しない。その代わりに、ＭＳは、ＳＭＳ関連ＴＬＶフィールドを含むＢＳからＲＮＧ−ＲＳＰ４０を受け返される。先に述べたとおり、このメッセージは、制御メッセージを含んでもよく、また含まなくてもよい。例示説明において、この後に、ＣＤＭＡ割り当てＡ−ＭＡＰ ＩＥ（ＲＡＩＤ１及びレンジングのためのマスキング指標）を有するメッセージ４１が続く。ＢＳは、ＭＳからアクノレッジメント４３を受信するまで、このメッセージ４２の送信を続ける。ＢＳ及びＭＳの両方は、アクノレッジメントが受信されるまで、タイマをカウントしてもよい。ＭＳは、ＣＤＭＡ割り当てＡ−ＭＡＰ ＩＥのためのタイマを有し、ＢＳは、アクノレッジメントのためのタイマを有する。別の方法として、ＭＳは代わりに、レンジングを送信してもよく、また、アクノレッジメントに加えてＳＭＳテキストを含むその他の制御メッセージを送信してもよい。
【００１９】
図３に示した１つの特定の例において、ＢＳが、待機モードのＭＳに対してダウンリンクＳＭＳを有するとき、ＢＳは、位置更新を示すＡＡＩ＿ＰＡＧ−ＡＤＶを送信した後で、ＡＡＩ＿ＲＮＧ−ＲＳＰメッセージ内にＳＭＳを含む。ＳＭＳを含むＡＡＩ＿ＲＮＧ−ＲＳＰを送信した後で、ダウンリンクＳＭＳに対する確認としてＡＡＩ＿ＭＳＧ−ＡＣＫを受信するために、ＢＳは、要求されていない形でＣＤＭＡ割り当てＡ−ＭＡＰ ＩＥを許可する。ＣＤＭＡ割り当てＡ−ＭＡＰ ＩＥのＭＣＲＣは、ＲＡＩＤ及びレンジングのためのマスキング指標を用いてマスクされる。ここで、ＲＡＩＤは、ＭＳによって送信されたＡＡＩ＿ＲＮＧ−ＲＥＱメッセージに対してＣＤＭＡ割り当てＡ−ＭＡＰ ＩＥにマスクされたＲＡＩＤと同じである。
【００２０】
ＢＳが、ＳＭＳを含むＡＡＩ＿ＲＮＧ−ＲＳＰを送信した後で、ＢＳは、タイマ、ＳＭＳ＿ｃｏｎｆｉｒｍ＿ｒｅｓｏｕｒｃｅ＿ａｌｌｏｃ＿ｔｉｍｅｒを開始し、ＭＳに対してＣＤＭＡ割り当てＡ−ＭＡＰ ＩＥを許可する。ＭＳが、ＳＭＳを含むＡＡＩ＿ＲＮＧ−ＲＳＰを受信したときに、ＭＳは、タイマ、ＳＭＳ＿ｃｏｎｆｉｒｍ＿ｒｅｓｏｕｒｃｅ＿ｗａｉｔｉｎｇ＿ｔｉｍｅｒを開始し、ＡＡＩ＿ＭＳＧ−ＡＣＫを送信するために、ＣＤＭＡ割り当てＡ−ＭＡＰ ＩＥを待つ。
【００２１】
ＭＳがショートメッセージを呼び寄せるためのデータを有し、ＭＳが待機モードである場合、ＭＳは、ＲＮＧ−ＲＥＱ４６を用いて、要求されていない位置更新を行ってもよく、その一環としてＳＭＳを含んでもよい。この点は、図４に示されている。この例では、局が通信の準備ができるように、４５においてコードベースレンジングが完了する。レンジングリクエスト信号は、ＣＤＭＡ割り当てＡ−ＭＡＰ ＩＥ上のＳＭＳを含むＡＡＩ＿ＲＮＧ−ＲＥＱ（ＲＡＩＤ１及びレンジングのためのマスキング指標）の形式をとってもよい。４７において、基地局が、送るべきキューイングショートメッセージを有する場合、基地局は、従来のＲＮＧ−ＲＳＰを用いて応答してもよく、又は、基地局は、そのＲＮＧ−ＲＳＰ内にショートメッセージを含んでもよい。
【００２２】
１つの特定の例では、ＢＳは、ダウンリンクにおいて、ＭＳに対してＳＭＳを送信するために、ＡＡＩ＿ＲＮＧ−ＲＳＰメッセージを用いる。待機状態のＭＳからのＳＭＳは、ＡＡＩ＿ＲＮＧ−ＲＥＱメッセージに含まれてもよい。これは、例えば、レンジング目的指標ビット♯１＝１（「待機モード位置更新」）を用いて示し得る。ＲＮＧ−ＲＥＱメッセージのためのアップリンクリソースが、ＳＭＳを含むＡＡＩ＿ＲＮＧ−ＲＥＱを送信するのに十分でない場合、ＡＡＩ＿ＲＮＧ−ＲＥＱは、ＲＮＧ−ＲＥＱフラグメンテーション方法を用いて断片化されてもよい。
【００２３】
ＭＳが、ＡＡＩ＿ＲＮＧ−ＲＥＱメッセージを通じて待機状態である間、ＢＳは、ＭＳからＳＭＳを受信する。これを受信すると、ＢＳは、ＡＡＩ＿ＲＮＧ−ＲＳＰメッセージを用いて応答してもよい。これは、ＳＭＳの確認として使用されてもよい。
【００２４】
従前のシステムにおいては、ＳＭＳとＭＭＳは、物理層において暗号化される。これは、メッセージがＳＭＳ又はＭＭＳを伝送するために特に構成されている場合に、なし得ることができる。８０２．１６ｍにおいては、ＲＮＧ−ＲＥＱ及びＲＮＧ−ＲＳＰメッセージは、暗号化されない。ＲＮＧメッセージのＴＬＶにおいて一般的に伝送される制御メッセージは、繊細なものではない。これは、アプリケーション層、例えばＳＭＳ層暗号化機構を用いることによって、又は、その他の方法で暗号化を適用することによって、補償され得る。ＲＮＧメッセージを物理層において暗号化することなく、ＲＮＧメッセージのＴＬＶによって伝送される実際のＳＭＳ部分を暗号化するために、より高度の暗号化が用いられてもよい。上記の８０２．１６の例では、ＲＮＧメッセージは、複数のＭＡＣ（メディアアクセス制御）制御メッセージの集まりの一部である。
【００２５】
これらのメッセージは、ＭＡＣ ＰＤＵ（プルトコルデータユニット）のペイロードにおいて伝送される。全てのＭＡＣ制御メッセージは、メッセージタイプフィールドから始まり、追加のフィールドを含んでもよい。制御メッセージのフォーマットを、以下の表１に示す。
【表１】
0005462366.tif 000002
【００２６】
表１において、ＭＡＣ ＰＤＵの最初の部分は、タイプ指標である。８ビットが割り当てられる。ＲＮＧ−ＲＥＱに関して、タイプは、４番である。ＲＮＧ−ＲＳＰに関して、タイプは、５番である。他のタイプ番号を用いて、より多くのタイプのＭＡＣ ＰＤＵが対応される。次の８ビットメッセージは、零である。このヘッダの後に、ＭＡＣ ＰＤＵは、ＴＬＶデータを含む。以下に示すとおり、複数のＴＬＶは、様々なサイズ又は長さであってもよく、具体的に許容されたやり方で、単一のメッセージとして組み合わされてもよい。ＴＬＶは、ユーザに対してトランスペアレントである制御メッセージであることを意図しており、システムの円滑な動作を保証する。
【００２７】
８０２．１６ｍにおいては、ＲＮＧ−ＲＥＱ及びＲＮＧ−ＲＳＰを用いたレンジングは、ＭＳの伝送をＢＳと同調させ、ＭＳの伝送を適切な受信閾値内で受信させるために、訂正タイミングオフセット、周波数オフセット及び電力調整を取得する段階である。レンジングはまた、移動局があちこちに移動したときに、移動局の位置を定めるために用いられる。
【００２８】
レンジングメッセージは、物理層において、無線通信リンクの品質を維持するために用いられる。基本構造は同じであるが、アップリンクとダウンリンクに対して異なるメッセージが用いられる。レンジングにより、システムは、時間、周波数シンクロナイゼーション、電力、ならびに、副搬送波及びサブチャンネルに対する割り当てを調整することができる。レンジングは、それぞれの基地局と登録された移動局との間においてサポートされた多様な搬送波に対して定期的に行われる。
【００２９】
レンジングメッセージは、システムに対する基本メッセージの一部である。放送チャンネル及び加入者登録からは独立して別個に、レンジングメッセージは、特定の登録されたＭＳ、及びＭＳが登録された特定のＢＳに向けられている。トラフィックチャンネルからは独立して別個に、基本メッセージは、制御情報及びシステムコンフィギュレーションを処理する。
【００３０】
レンジングリクエスト（ＲＮＧ−ＲＥＱ）メッセージは、初期化においてＭＳによって伝送され、定期的にネットワークディレイを判定し、伝送電力、ダウンリンクバーストプロファイル、又はその他のシステムオペレーションパラメータの変化を要求するものである。初期化とは、ＭＳが最初にネットワークにアクセスしようとし、基地局に登録しようとするときを指す。ＲＮＧ−ＲＥＱメッセージは、初期レンジング及びデータ許可間隔で送信されてもよい。メッセージのＴＬＶフィールド部分は、状況に応じて変化し、単一のＲＮＧ−ＲＥＱメッセージ内に１つ以上のＴＬＶフィールドが存在し得る。
【００３１】
ＴＬＶフィールドは、バーストプロファイル、ＭＡＣアドレス、レンジング異常、機器能力及び識別子、基地局識別子、ハンドオーバリクエスト、ネットワークリエントリリクエスト、緊急呼び出し手続き、ページング制御メッセージ、タイミング、ディレイ及びリトライパラメータ、ならびに電力制御及びマネージメントメッセージ等を含む情報をエンコードしてもよい。これらのパラメータの全ては、システムを対象としており、システム内のＭＳの識別又は動作に関係する。これらのメッセージは何れも、ユーザ又はアプリケーション層に伝えられる情報には関係しない。一般的に、システムは、ユーザがこれらのメッセージを見ることを防ごうとする。そうしないと、ユーザが、他のユーザに送信する又は他のユーザから受信する情報についての、ユーザの関心の妨げになるであろう。
【００３２】
レンジング応答（ＲＮＧ−ＲＳＰ）メッセージは、それが送信し得るＴＬＶパラメータと同様のタイプを有する。これらは、タイミング調整情報、周波数、チャンネル、サブチャンネル、及びディレイアサインメント、多様なタイマ、スロット及びフレーム番号、装置番号、基地局及びモデムのアドレス、ならびにページングパラメータなどを含み得る。リクエストメッセージと同様に、応答メッセージに対するＴＬＶは全て、制御パラメータ及び装置動作にまた関連している。
【００３３】
ユーザ間のメッセージに対するＴＬＶを用いることによって、ショートユーザメッセージを、ＭＳの動作モードを変更することなく、実質的にいつでも伝送することができる。レンジングメッセージは、アクティブ接続を必要としないときに送信することができる、及び、実質的にいつでも送信することができるとの利点を提供する。そのような機能に適応する目的で、ショートユーザメッセージは、一意的に特定され、ＢＳとＭＳの両方は、メッセージを識別し、メッセージをそれに応じて処理するように適応している。
【００３４】
ＴＬＶは、情報エンコードフォーマットの一例である。本発明の複数の形態はまた、ＡＳＮ１等のその他のエンコードフォーマットを使用するように適応してもよい。本発明のここに記した多くの形態では、ショートユーザメッセージは、オプショナルフィールド内に置かれる。ショートユーザメッセージは、その他の機能に影響を与えないやり方で、含まれてもよく含まれていなくてもよい。つまり、オプショナルフィールドを用いることによって、メッセージが解析されたときに、ショートユーザメッセージの存在又は不在が、メッセージの解析に影響を与えることはない。
【００３５】
先に記した通信を実行するための、基地局と移動局の両方に対して用いられ得るハードウェア構成の一例を図５に示す。図５では、局５０は、プロセッサ５２によって駆動される。これは、ＭＳの場合には、小型の低電力プロセッサであってもよく、ＢＳの場合には、高電力の高速プロセッサであってもよい。
【００３６】
プロセッサは、磁気、光学、又はソリッドステートメモリ、あるいはそれらのいくつかの組み合わせ等のメモリ５６に結合されたメモリバスを有する。メモリは、プログラム命令と局間で送受信され得るユーザデータとを含む。アカウントデータ５８がまた、バスに接続されていてもよい。ＭＳに関しては、アカウントデータ５８は、ＳＩＭ（加入者識別モジュール）及びその他の格納されたパーソナルパラメータを含んでもよい。ＢＳに関しては、アカウントデータ５８は、アカウント認証データベース又はそのようなデータベースに対する接続を含んでもよい。
【００３７】
追加データをプロセッサに提供するために、位置センサ、バッテリ又は電力センサ、カメラ及びマイク、ならびに送受信機信号センサ等の一連のセンサ５４が、プロセッサに結合されている。
【００３８】
ＵＳＢ（ユニバーサルシリアルバス）又は別の種類のユーザインターフェース接続等のユーザインターフェースバスが、プロセッサと、キーボード、タッチスクリーン、マウス、トラックボール、又はその他のインターフェース等のユーザインターフェース６０、ディスプレイ６２及びその他のデバイスの接続を可能にするその他のコネクタ６４とを接続する。特定のユーザインターフェースが、特定のアプリケーションに適するように適応され得る。ユーザは、ユーザインターフェースを介してテキスト又はその他のショートメッセージを入力又は添付することができ、システムメインテナンス及び制御のためにインターフェースを用いることができる。ＭＳに関しては、ユーザは、インターフェースを介して、マイク及びカメラを用いてレコーディングすることができ、それらを、キーボード又はタッチスクリーンを用いて特定のユーザ又はユーザグループに対して送信されるように命令されているショートメッセージに添付することができる。
【００３９】
プロセッサ５２は、その他のデバイスとの通信のために、別の通信バスに結合されている。有線インターフェース６６により、ＢＳは、その他のＢＳ、ゲートウェイ、基地局コントローラ、ならびに、動作及びメインテナンスセンター等と通信することができる。ＢＳに関して、有線インターフェースは、ネットワーク接続及び携帯デバイスを可能にすることができ、デバイスが、更新及びメインテナンスのためにパーソナルコンピュータに結合されることを可能にてもよい。通信バスはまた、ブルートゥース等のパーソナルエリアネットワーク（ＰＡＮ）６８、Ｗｉ−Ｆｉ等のローカルエリアネットワーク（ＬＡＮ）７０、８０２．１６ｍ等の広域ネットワーク７２又は都市規模ネットワークに対する有線又は無線接続を提供する。アプリケーションに応じて、より多くの又はより少ないネットワークアダプタが設けられてもよい。幾つかの複数のネットワーク機能は、統合されていてもよく、また、分離されていてもよい。様々な通信プルトコル及び構成が用いられてもよい。
【００４０】
広域ネットワーク（ＷＡＮ）アダプタ７２は、ＷＡＮを介して送信されるパケットの生成、アセンブル、エンコード、暗号化及びキューイングを行うためのロジック７４を含む。ロジックは、ＷＡＮを超えてアンテナ７８を介した信号伝送のために、ロジックからのパケットを変調、エンコード及び増幅する送受信機７６に結合されている。アンテナは、性能、コスト及び設計考慮に応じて、１つ以上の部品を有してもよい。同じ送信チェーンがまた、受信チェーンとして機能してもよく、又は、別個の受信チェーン（図示せず）が用いられてもよい。受信チェーンは、通信バスを超えてプロセッサに送り返されるデータを取得するために、受信復調、増幅、解析及びデコード等の先とは逆の機能を実行してもよい。
【００４１】
制御メッセージを含むパケットを受信する場合、メッセージは、プロセッサに送信され、その後、動作パラメータの調整、登録のためのルーチン呼び出し、呼び出し開始等をするために用いられる。ユーザメッセージを含むパケットを受信する場合、メッセージは、プロセッサに送信され、その後、ディスプレイ上にユーザに対して提供される。いずれにしても、メッセージは、メモリに格納されてもよい。
【００４２】
図５の構成はまた、無線アダプタを備えたポータブル又はデスクトップコンピュータに適用されてもよい。ＷＡＮアダプタ７２は、ＵＳＢ、ＰＣＩ（ペリフェラル・コンポーネント・インターコネクト）バス、又はその他の適したバス上で別個の部品として提供されてもよく、あるいは、内部システム部品として提供されてもよい。
【００４３】
ここに記した例より、より少ない又はより多くの要素を備えた通信局５０が、特定の実施に対しては望ましいであろう。従って、システムの構成は、費用制約、性能要求、技術的改良、及び／又は、その他の事情等の多くの要素に応じて、実施形態ごとに変わることであろう。
【００４４】
本発明の形態は、８０２．１１ｍならびにその通信プルトコル及び標準内の特定のメッセージとの関連で説明してきたが、本発明はこれらには限定されない。本発明の形態は、ショートユーザメッセージを、全体のシステム動作にほとんど影響を与えずに送信するために、その他の通信プルトコルならびに８０２．１６ｍ及びその他のプルトコル内のその他の種類の制御メッセージに適用されてもよい。本記載は、ＳＭＳに関連しているが、様々な異なるショートユーザメッセージに適用されてもよい。また、ＳＭＳは、ある携帯電話から別の携帯電話に頻繁に送信されるが、ユーザは、ＷｉＦｉ、インターネット、ポータブル及びデスクトップコンピュータ等の電話接続デバイス、電話、ならびにメディアプレイヤーを用いて、テキストを送信することができる。ここに記した遠隔データ端末、又は遠隔端末が、そのようなデバイスを表し得る。
【００４５】
ここに記した段階は、プロセッサ５２等のプログラムドプロセッサの制御下において実行されてもよいが、別の形態では、これらの段階は、フォールドプログラムゲートアレイ（ＦＰＧＡ）、ＴＴＬロジック、又は特定用途集積回路（ＡＳＩＣ）等の、任意のプラグラマブル又はハードコード化ロジックによって、全面的又は部分的に、実行されてもよい。また、本発明の方法は、プログラムド汎用コンピュータ部品又はカスタムハードウェア部品の任意の組み合わせによって実行されてもよい。従って、当記載は、記載された段階がハードウェア部品の特定の組み合わせによって実行される特定の形態に本発明を限定するものではない。
【００４６】
本発明は、本発明に準じて段階を実行するために、コンピュータ（又はその他の機械）をプログラムするために用いられ得る、その中に格納された命令を有する機械可読媒体を含み得るコンピュータプログラム製品として提供されてもよい。機械可読媒体は、以下に限定されないが、フロッピー（登録商標）ディスク、光学ディスク、ＣＤ−ＲＯＭ、ならびに磁気光学ディスク、ＲＯＭ、ＲＡＭ、ＥＰＲＯＭ、ＥＥＰＲＯＭ、磁気又は光学カード、フラッシュメモリ、又は電子命令を格納するのに適した任意の他の種類の媒体を含み得る。
【００４７】
本記載においては、説明の目的で、本発明の十分な理解を提供するべく、多くの特定の詳細が述べられている。しかしながら、本発明は、これらの特定の詳細の幾つかを省いて実施し得る。他の例では、周知の構成及びデバイスが、ブロック図の形式で示されている。この特定の詳細は、平均的な当業者の１人によって、特定の実施に適した形で、補充され得る。
【００４８】
本記載は、本発明の複数の例示形態を詳細に説明してきたが、本発明は、記載された厳密な形態に限定されるものでないことを理解されたい。従って、明細書及び図面は、限定を意図するものではなく、説明するためのものであることを意図している。多様な適用、改良及び変更が、添付の請求項で規定された発明の範囲を逸脱しない範囲で実行され得る。
【図１】
0005462366.tif 000003
【図２】
0005462366.tif 000004
【図３】
0005462366.tif 000005
【図４】
0005462366.tif 000006
【図５】
0005462366.tif 000007